(57)【要約】本発明は外装された結合磁気エネルギー発生器、および同じものを備えた照明の分野に属する磁気エネルギーランプに関するものである。発光するべく稼動される磁気エネルギーランプに用いられる磁気エネルギー発生器は、互いに接続される二つの別々の磁石を有している。それぞれの磁石は少なくとも一つの谷が設けられた側面を有している。二つの磁石はその側面で互いに嵌合し、それにより二つの谷と連通している一定のすき間を作り出すために一方の磁石の谷が他方の磁石の谷に向かい合っている。ランプ本体は磁気エネルギー発生器に取り付けられている。磁石はそれぞれ中空ランプ本体を取り囲んでいる。本発明による磁気エネルギー発生器およびランプは簡単な構造、使用及び組み立ての利便性、製造の容易さ、および低価格を備えている。このように、大量生産のための信頼できる技術的解決法が利用できるようになる。【選択図】図１
2008524860.tif 000002
【特許請求の範囲】
【請求項１】
互いに接続された二つの別々の磁石から成る磁性体を有する外装された結合磁気エネルギー発生器であって、
一方の磁石は少なくとも一つの谷が設けられた側面を有し、他方の磁石もまた同数の谷を設けた側面を有し、前記二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され前記二つの谷と連通していることを特徴とする外装された結合磁気エネルギー発生器。
【請求項２】
それぞれの磁石は前記すき間を形成するための表面部を設け、前記表面部の上には電磁誘導コイルがその周りに巻き付けられる絶縁ベークライトフレームが設けられていることを特徴とする、請求項１に記載の磁気エネルギー発生器。
【請求項３】
前記磁気エネルギー発生器のフレームの上に巻き付けられる電磁誘導コイルは絶縁体で覆われた多重らせんのエナメル線、またはフレームの上に平行に巻き付けられる絶縁体で覆われた二つ又は四つの多重らせんのエナメル線であり、フレームの上に巻き付けられる前記コイルは１又はＮ個の円を有し、フレームの上に巻き付けられる前記コイルは絶縁体で覆われた複数の多重らせんの線から成り、それぞれが異なる直径と断面および異なる姿勢を有し、前記コイルが絶縁体で覆われた銅片であることを特徴とする、請求項１に記載の磁気エネルギー発生器。
【請求項４】
一方の磁石は二つの谷が設けられた側面を有し、他方の磁石は二つの谷が設けられた側面を有し、前記二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され前記二つの谷と連通しており、それぞれの磁石はすき間を形成するための表面部を設け、前記表面部の上には電磁誘導コイルがその周りに巻き付けられる絶縁ベークライトフレームが設けられていることを特徴とする、請求項１に記載の磁気エネルギー発生器。
【請求項５】
一方の磁石は四つの谷が設けられた側面を有し、他方の磁石は四つの谷が設けられた側面を有し、前記二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石のそれぞれの二つの谷の間に二つの一定のすき間が形成され前記二つの谷と連通しており、それぞれの磁石は一定のすき間を形成するための二つの表面部を設け、前記表面部の上には電磁誘導コイルがその周りに巻き付けられる絶縁ベークライトフレームが設けられていることを特徴とする、請求項１に記載の磁気エネルギー発生器。
【請求項６】
一方の磁石の谷が他方の磁石の谷と向かい合い、それゆえ磁石のそれぞれの谷の間に二つ以上の一定のすき間が形成され前記谷と連通していることを特徴とする、請求項１に記載の磁気エネルギー発生器。
【請求項７】
二つの別々の磁石は、それぞれの磁石の端部にそれぞれ設けられた二つの段差により互いに合わされていることを特徴とする、請求項１に記載の磁気エネルギー発生器。
【請求項８】
ランプ本体と磁気エネルギー発生器とを有する磁気エネルギーランプであって、
前記磁気エネルギー発生器は二つの別々の磁石から成り、一方の磁石は少なくとも一つの谷が設けられた側面を有し、他方の磁石もまた同数の谷を設けた側面を有し、前記二つの磁石はその側面で互いに嵌合し、一方の磁石の側面は他方の磁石の側面にそれぞれ設けられた二つの端部に接する二つの端部を設け、それにより一方の磁石の谷が他方の磁石の谷と向かい合い、それゆえ磁石の二つの谷の間に一定のすき間が形成され前記二つの谷と連通しており、それぞれの磁石は前記一定のすき間を形成するための表面部を設け、前記表面部の上には電磁誘導コイルがその周りに巻き付けられる絶縁ベークライトフレームが設けられ、前記ランプ本体は前記谷の内側に配置され、前記二つの別々の磁石は前記磁気エネルギー発生器を貫通している前記ランプ本体をそれぞれ補強し、前記ランプ本体は閉鎖された中空体であり、前記ランプ本体の内壁には蛍光粉末が被覆され、前記ランプ本体の中には不活性ガスおよび水銀が充填されていることを特徴とする磁気エネルギーランプ。
【請求項９】
磁気エネルギーランプは磁気エネルギー発生器とランプ本体とを有し、磁気エネルギー発生器は二つの別々の磁石から成り、一方の磁石は四つの谷が設けられた側面を有し、他方の磁石は四つの谷が設けられた側面を有し、前記二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石のそれぞれの二つの谷の間に二つの一定のすき間が形成され前記二つの谷と連通しており、それぞれの磁石の端部には前記二つの磁石を結合し配置するための段差がそれぞれ設けられ、それぞれの磁石は前記一定のすき間を形成するための二つの表面部を設け、前記表面部の上には電磁誘導コイルがその周りに巻き付けられる絶縁ベークライトフレームが設けられ、前記ランプ本体は前記谷の内側に配置され、前記二つの別々の磁石は前記磁気エネルギー発生器を貫通している前記ランプ本体をそれぞれ補強していることを特徴とする、請求項８に記載の磁気エネルギーランプ。
【請求項１０】
二つの別々の磁石の一方はその中間に谷が設けられた側面を有し、他方の磁石はその中間に谷が設けられた側面を有し、前記二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の谷の間に一定のすき間が形成され、それぞれの磁石は前記一定のすき間を形成するための表面部を設け、前記表面部の上には電磁誘導コイルがその周りに巻き付けられる絶縁ベークライトフレームが設けられ、それぞれの磁石の端部には二つの磁石を結合し配置するための段差がそれぞれ設けられ、前記磁石は半円形の形であり、前記ランプ本体は前記谷の内側に配置され、前記二つの別々の磁石はそれぞれ前記ランプ本体を補強していることを特徴とする、請求項８に記載の磁気エネルギーランプ。
【発明の詳細な説明】
【技術分野】
【０００１】
本発明は、外装された結合磁気エネルギー発生器、および同じものを備えた磁気エネルギーランプに関するものであり、特に、磁気エネルギー発生器、および照明を稼動するための電磁エネルギーを発生させるために磁気エネルギー発生器が用いられる磁気エネルギーランプに関するものである。
【背景技術】
【０００２】
磁気エネルギーランプは、標準の蛍光ランプが稼動する原則よりはむしろ、高周波の磁気エネルギー電磁共鳴の原則に基づいて稼動し、その場合、フィラメントおよび電極を含むＬＣシリーズ共鳴フィラメントは予熱され、それから電極は発光させるための蛍光粉末を活性化する。磁気エネルギー蛍光ランプの可使時間は５０，０００〜１００，０００時間にまで達し、当該時間は標準の蛍光ランプよりも１６倍長い。標準の蛍光ランプと比べると、磁気エネルギーランプはほとんど減衰がなく、省エネ効果を３５〜４５％増加させ、また６Ｗ〜１，５００Ｗの入力電源を保持することができる。
【０００３】
無電極ランプおよび電磁誘導ランプは１５年前に開発が始められたので、それらの入力電源および発光効率を増加させるためのさまざまな取り組みが行われてきた。しかしながら、構造のような技術的問題や原価高の理由により、その取り組みは、ランプの入力電源を１６５Ｗ以下および発光効率を６０ｌｍ／Ｗ以下にまでしかなっていない。結果として、これらのランプはいまだに開発段階にあり、幅広くは使用されていない。
【０００４】
高周波の電磁誘導装置は電磁誘導ランプを開発するための重要な要素と考えられてきた。技術的に電磁誘導装置に用いられる磁石リングは二つの誘導磁石半片から成り、それらを自由に開閉することができ、従って正確に配置することはできない。また、磁石により形成された磁気回路すき間は一定の寸法および位置を有していない。結果として、技術的にランプの電磁誘導強度を正確に制御することはできない。
【０００５】
標準の電磁誘導ランプに用いられる誘導コイルは別々の磁石半片の部分の周りに巻き付けられる。二つの別々の磁石半片により形成されたすき間と同様に、二つの対応する磁石半片の間の位置関係は一定ではないので、二つの磁石半片により確立された閉磁回路の電磁場強度を正確に制御することはできない。さらに、電磁誘導コイルが巻き付けられる別々の磁石半片は常に不安定な位置にあるので、電磁誘導装置の部品の間の距離、位置、すき間、および空間、および二つの磁石半片によって確立された閉磁回路のすき間を正確に制御することはできない。結果として、磁石半片の周りに巻き付けられる電磁誘導コイルに電気が通されるとき、電磁誘導コイルにより発生させられた誘導磁場、誘導電圧、および誘導電流は常に不安定である。
【０００６】
電磁誘導装置における軟磁性フェライト（磁石）を一定の位置に固定することはできないので、発光するための誘導磁場を発生させるよう回路が稼動する後に、そこから発生した熱は軟磁性フェライトを拡張された状態にする。結果として、誘導磁場強度、電圧、および電流は不安定になる。
【０００７】
不安定な磁場強度およびランプから発生した高温は、磁気回路のすき間を拡張された状態にし、それは誘導電流および誘導電圧を制御不能に変化した状態にする。変化した誘導電流および誘導電圧は磁石自身の誘導共振周波数を変化させ、それにより入力電流を増加させるランプの入力電源と、過電圧および過電流を引き起こすランプの電圧とを絶え間なく増加させる。これは電磁誘導装置における悪循環となる。すなわち、フェライト磁石リングの周りに巻き付けられたコイルで発生している過電流はコイルの温度を絶え間なく上昇させ、それは不安定な電磁誘導強度を生じさせ、ランプの電流と電力、およびランプの部品の温度はその結果絶え間なく上昇するであろう。最終的には、磁石はその磁性を失い、ランプに適用される電気回路は燃え尽きる。
【発明の開示】
【発明が解決しようとする課題】
【０００８】
本発明の目的は、発生器の部品の間の相対的に固定された距離、位置、すき間、および空間を供給する磁気エネルギー発生器を提供することであり、それにより閉磁回路のすき間は安定した電磁強度を発生させるよう一定に保たれる。従って、磁気エネルギー発生器における電磁誘導コイルが巻き付けられている別々の磁石は、常に安定した運転状況で稼動することができる。
【課題を解決するための手段】
【０００９】
上記目的を達成するために、本発明の磁気エネルギー発生器は、一緒に結合された二つの別々の磁石を有している。このように、二つの別々の磁石は、閉磁回路により発生させられた磁場の中心を位置づけるために閉磁回路の一定のすき間を設置し、それにより閉磁回路の一定のすき間は電磁誘導電流を正確に決定することができる。
【００１０】
磁石にはその上に電磁誘導コイルが巻き付けられる絶縁ベークライトフレームが設けられている。磁石で固定された閉磁回路のすき間は電磁誘導電流を正確に決定することができ、それによりそこへ適用される電気回路の制御性および信頼性は著しく改良され、製造原価が削減される。結果として、製品の安定性および標準に達する比率は増加し、それにより大量生産のための信頼できる技術的解決法が利用できるようになる。
【００１１】
本発明の磁気エネルギー発生器の磁性体は、一緒に結合された二つの別々の磁石から成っている。別々の磁石の一方は二つ以上の谷が設けられた側面を有し、他方の磁石はまた同数の谷を設けた側面を有している。二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され二つの谷と連通している。端部のそれぞれはかみ合い段差を画定する。一方の磁石の端部におけるかみ合い段差は他方の磁石の端部におけるかみ合い段差とかみ合う。それぞれの磁石は一定のすき間を形成するための表面部を設け、表面部の外側には電磁誘導コイルがその周りに巻き付けられる絶縁ベークライトフレームが設けられている。
【００１２】
本発明の磁気エネルギー発生器の磁石は、一緒に結合された二つの別々の磁石から成っている。別々の磁石の一方は二つの谷が設けられた側面を有し、他方の磁石はまた同数の谷を設けた側面を有している。二つの磁石はその面で互いに嵌合し、一方の磁石の側面は他方の磁石の側面に設けられた二つの端部にそれぞれ接する二つの端部を設け、それにより一方の磁石の谷が他方の磁石の谷とそれぞれ向かい合い、それゆえ磁石の二つの谷の間に一定のすき間が形成され二つの谷と連通している。端部のそれぞれはかみ合い段差を画定する。一方の磁石の端部におけるかみ合い段差は他方の磁石の端部におけるかみ合い段差とかみ合う。それぞれの磁石はすき間を形成するための表面部を設け、表面部の上には電磁誘導コイルがその周りに巻き付けられる絶縁ベークライトフレームが設けられている。谷を設けた磁石は四角形、半円形、またはその他の形をしている。
【００１３】
本発明の磁気エネルギー発生器の磁石は、一緒に結合された二つの別々の磁石から成っている。別々の磁石の一方は一つ以上の谷が設けられた側面を有し、他方の磁石はまた同数の谷を設けた側面を有している。二つの磁石はその面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され二つの谷と連通している。端部のそれぞれはかみ合い段差を画定する。一方の磁石の端部におけるかみ合い段差は他方の磁石の端部におけるかみ合い段差とかみ合う。それぞれの磁石は一定のすき間を形成するための表面部を設け、表面部の上には電磁誘導コイルがその周りに巻き付けられる絶縁ベークライトフレームが設けられている。
【００１４】
本発明の磁気エネルギー発生器の磁石は、一緒に結合された二つの別々の磁石から成っている。別々の磁石の一方はその中間部分に谷が設けられた側面を有し、他方の磁石はまたその中間部分に谷が設けられた側面を有している。二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され二つの谷と連通している。端部のそれぞれはかみ合い段差を画定する。一方の磁石の端部におけるかみ合い段差は他方の磁石の端部におけるかみ合い段差とかみ合う。それぞれの磁石は一定のすき間を形成するための表面部を設け、表面部の上には電磁誘導コイルがその周りに巻き付けられる絶縁ベークライトフレームが設けられている。谷を設けた磁石は四角形、半円形、またはその他の形をしている。
【００１５】
本発明によれば、磁気エネルギー発生器とそれに取り付けられたランプ本体とを有する磁気エネルギーランプが提供される。磁気エネルギー発生器は互いに接続された二つの別々の磁石から成っている。ランプ本体は磁気エネルギー発生器を貫通し、二つの別々の磁石により取り囲まれている。
【００１６】
本発明によれば、磁気エネルギー発生器とランプ本体とを有する磁気エネルギーランプが提供される。磁気エネルギー発生器は一緒に結合された二つの別々の磁石から成っている。別々の磁石の一方は二つ以上の谷が設けられた側面を有し、他方の磁石はまた同数の谷が設けられた側面を有している。二つの磁石はその側面で互いに嵌合し、一方の磁石の側面は他方の磁石の側面に設けられた二つの端部にそれぞれ接する二つの端部を設け、それにより一方の磁石の谷が他方の磁石の谷とそれぞれ向かい合い、それゆえ磁石の二つの谷の間に一定のすき間が形成され二つの谷と連通している。端部のそれぞれはかみ合い段差を画定する。ランプ本体は谷の内側に配置され、二つの磁石によって取り囲まれ、発生器を貫通している。それぞれの磁石はすき間を形成するための表面部を設け、表面部の上には電磁誘導コイルがその周りに巻き付けられる絶縁ベークライトフレームが設けられている。
【００１７】
あるいは、絶縁ベークライトフレームがランプ本体の上に設けられ、電磁誘導コイルがフレームの周りに巻き付けられる。
【００１８】
二つの磁石を接続するかみ合い段差の代わりに、二つの磁石が互いに正確に配置されるならば平面のような他の物理的構造を用いることもでき、それにより二つの磁石の間に閉磁回路の一定のすき間が形成され、それにより閉磁回路により発生させられた磁場の中心は正確に決定される。
【００１９】
本発明による磁気エネルギー発生器のコイルは、磁気回路の一定のすき間を取り囲むフレームの上に一定間隔で正確に巻き付けられる。このように、磁気エネルギー発生器は、磁石の電磁効率を増加させるために多数の面でランプ本体と接している。磁気エネルギー発生器の上に巻き付けられる電磁誘導コイルは絶縁体で覆われた多重らせんのエナメル線であり、あるいはそれはフレームの上に平行に巻き付けられる絶縁体で覆われた２又は４の多重らせんのエナメル線であるかもしれない。フレームの上に巻き付けられるコイルは１又はＮ個の円を備えている。フレームの上に巻き付けられるコイルは絶縁体で覆われた複数の多重らせんの線から成り、それぞれが異なる直径および断面と、異なった姿勢を備えている。あるいはそれは絶縁体で覆われた銅片であるかもしれない。
【発明の効果】
【００２０】
先行技術と比較すると、本発明による磁気エネルギー発生器およびランプは簡単な構造、使用及び組み立ての利便性、製造の容易さ、および低価格を備えている。閉磁回路の電磁強度が絶え間なく生じるように、磁石の間で磁石により画定されたすき間が固定される。結果として、誘導磁場、誘導電圧および誘導電流を発生させるために磁石の上に巻き付けられたコイルに電気が通されるとき、磁石は常に安定状態にある。その上、磁気エネルギー発生器が高い電磁効率を有するように磁気エネルギー発生器の磁石は多数の面でランプ本体と接している。接している面の数は少なくとも６〜２８であり、二つの対応して適合された完全な磁場または効力のある四つの平面磁場が存在し、それにより電磁場の接している面は３〜８倍に増加する。結果として、電磁誘導性は２〜４倍に増加する。
【００２１】
上述のように、磁気エネルギー発生器の電磁誘導は閉磁回路内部で完全に発生する。閉磁回路における電磁コイルによって誘発された電磁場のすべての磁力線は、閉磁回路の二つの対応する磁場の中で有効に制限される。電磁誘導コイルによって誘発された電磁誘導電流によって作られた仕事量はランプ本体に適用される。閉磁回路の磁場における磁力線は磁場の方向に沿ってランプ本体に適用する。その結果として、磁気放射および磁気損失は削減され、電磁効率は増加する。適用された磁気エネルギー発生器は、電磁誘導電流および共振周波数が要望どおり計算され制御されようにする。磁石は、補完的に正確に磁石を一緒に固定することができる段差を設け、それにより閉磁回路により発生させられた磁場の中心が正確に決定される。磁石の間のすき間は固定されているので、電磁誘導電流は正確に決定される。磁場の中心および電磁誘導電流を決定することによって、適用される電気回路の設計は著しく単純化され、電気回路の制御性および信頼性は大いに改良される。したがって、製造原価は削減され、均一性が改良され、製品の標準に達する比率は９８％まで増加する。それにより大量生産のための信頼できる技術的解決法が利用できるようになる。
【発明を実施するための最良の形態】
【００２２】
本発明は添付図面を参照して詳細に説明されるであろう。
【００２３】
図１を参照すると、本発明の磁気エネルギー発生器における磁石は互いに接続された二つの別々の磁石から成っている。一方の磁石１は二つの谷２が設けられた側面を有し、他方の磁石３もまた二つの谷４を設けた側面を有している。二つの磁石はその面で互いに嵌合しており、一方の磁石の側面は他方の磁石の側面に設けられた二つの端部にそれぞれ接する二つの端部を設け、それにより一方の磁石の谷が他方の磁石の谷とそれぞれ向かい合い、二つの谷と連通している一定のすき間５を形成する。端部のそれぞれはかみ合い段差８を画定する。それぞれの磁石はすき間を形成するための表面部を設け、表面部の外側には電磁誘導コイル１０がその周りに巻き付けられる絶縁ベークライトフレーム９が設けられている。磁石は四角形、半円形、またはその他の形から成っている。そのようにして、二つの別々の磁石は、閉磁回路により発生させられた磁場の中心を位置づけるために閉磁回路の一定のすき間を設置し、それにより閉磁回路の一定のすき間は電磁誘導電流を正確に決定することができる。
【００２４】
図２に示されるように、本発明の磁気エネルギー発生器における磁石は一緒に結合された二つの別々の磁石から成っている。一方の磁石１は四つの谷２が設けられた側面を有し、他方の磁石３もまた四つの谷４を設けた側面を有している。二つの磁石はその側面で互いに嵌合しており、一方の磁石の側面は他方の磁石の側面に設けられた二つの端部にそれぞれ接する二つの端部を設け、それにより一方の磁石の谷が他方の磁石の谷とそれぞれ向かい合い、谷の二つと連通している一定のすき間５を形成する。端部のそれぞれはかみ合い段差８を画定する。それぞれの磁石はすき間を形成するための表面部を設けており、表面部の上には電磁誘導コイル１０がその周りに巻き付けられる絶縁ベークライトフレーム９が設けられている。
【００２５】
図３に示されるように、本発明の磁気エネルギー発生器における磁石は互いに接続された二つの別々の磁石から成っている。一方の磁石１は四つの谷２が設けられた側面を有し、他方の磁石３もまた四つの谷４を設けた側面を有している。二つの磁石はその側面で互いに嵌合しており、一方の磁石の側面は他方の磁石の側面に設けられた二つの端部にそれぞれ接する二つの端部を設け、それにより一方の磁石の谷が他方の磁石の谷とそれぞれ向かい合い、谷の二つとそれぞれ連通している一定のすき間５を形成する。端部のそれぞれはかみ合い段差８を画定する。それぞれの磁石は二つのすき間を形成するための二つの表面部を設けており、表面部の上には電磁誘導コイル１０がその周りに巻き付けられる絶縁ベークライトフレーム９が設けられている。
【００２６】
図４に示されるように、ランプ本体１１は、本発明の磁気エネルギーランプにおいて、閉鎖された中空管を使用した。ランプ本体の内壁には蛍光粉末が被覆され、閉鎖されたランプ本体の中には不活性ガスおよび水銀が充填されている。ランプ本体内部の圧力は少なくとも３００ｍｐに保たれている。
【００２７】
図５に示されるように、本発明による磁気エネルギーランプはランプ本体１１と磁気エネルギー発生器とを有している。ランプ本体は磁石１の谷の内側に配置されている。すなわち、それぞれ結合された二つの別々の磁石はランプ本体を取り囲み、前記本体は磁気エネルギー発生器を貫通している。
【００２８】
図６に示されるように、本発明による磁気エネルギーランプはランプ本体１１と磁気エネルギー発生器とを有している。本発明の磁気エネルギー発生器における磁石は互いに接続された二つの別々の磁石から成っている。一方の磁石１は四つの谷２が設けられた側面を有し、他方の磁石３もまた四つの谷４を設けた側面を有している。二つの磁石はその面で互いに嵌合しており、一方の磁石の側面は他方の磁石の側面に設けられた二つの端部にそれぞれ接する二つの端部を設け、それにより一方の磁石の谷が他方の磁石の谷とそれぞれ向かい合い、四つの谷の二つとそれぞれ連通している二つの一定のすき間５を形成する。端部のそれぞれはかみ合い段差８を画定する。それぞれの磁石はすき間を形成するための表面部を設けており、表面部の上には電磁誘導コイル１０がその周りに巻き付けられる絶縁ベークライトフレーム９が設けられている。ランプ本体は磁石１の谷の内側に配置されている。すなわち、それぞれ結合された二つの別々の磁石はランプ本体を取り囲み、前記本体は磁気エネルギー発生器を貫通している。
【００２９】
図７に示されるように、本発明の磁気エネルギー発生器における磁石は互いに接続された二つの別々の磁石から成っている。一方の磁石１はその中間部分に谷が設けられた側面を有し、他方の磁石３もまたその中間部分に谷が設けられた側面を有している。二つの磁石はその面で互いに嵌合しており、一方の磁石の側面は他方の磁石の側面に設けられた二つの端部にそれぞれ接する二つの端部を設け、それにより一方の磁石の谷が他方の磁石の谷とそれぞれ向かい合い、一定のすき間５を形成する。それぞれの磁石はすき間を形成するための表面部を設けており、表面部の上には電磁誘導コイル１０がその周りに巻き付けられる絶縁ベークライトフレーム９が設けられている。端部のそれぞれは一緒に結合するためのかみ合い段差８を画定する。磁石は半円形の形であり、またランプ本体１１は磁石の谷の内側に配置されており、それにより磁気エネルギー発生器の磁石はそれぞれランプ本体を補強している。
【図面の簡単な説明】
【００３０】
【図１】本発明の第１実施例に基づく磁気エネルギー発生器の構造概略図である。
【図２】本発明の第２実施例に基づく磁気エネルギー発生器の構造概略図である。
【図３】本発明の第３実施例に基づく磁気エネルギー発生器の構造概略図である。
【図４】本発明に基づく磁気エネルギーランプの構造概略図である。
【図５】本発明の一つの実施例に基づく磁気エネルギーランプの構造概略図である。
【図６】本発明の別の実施例に基づく磁気エネルギーランプの構造概略図である。
【図７】本発明のさらなる実施例に基づく磁気エネルギーランプの構造概略図である。
【図１】
2008524860.tif 000003
【図２】
2008524860.tif 000004
【図３】
2008524860.tif 000005
【図４】
2008524860.tif 000006
【図５】
2008524860.tif 000007
【図６】
2008524860.tif 000008
【図７】
2008524860.tif 000009
【手続補正書】
【提出日】平成20年2月18日(2008.2.18)
【手続補正１】
【補正対象書類名】特許請求の範囲
【補正対象項目名】請求項６
【補正方法】変更
【補正の内容】
【請求項６】
一方の磁石の谷が他方の磁石の谷と向かい合い、それゆえ磁石のそれぞれの谷の間に少なくとも二つの一定のすき間が形成され前記谷と連通していることを特徴とする、請求項１に記載の磁気エネルギー発生器。
【手続補正２】
【補正対象書類名】明細書
【補正対象項目名】００１１
【補正方法】変更
【補正の内容】
【００１１】
本発明の磁気エネルギー発生器の磁性体は、一緒に結合された二つの別々の磁石から成っている。別々の磁石の一方は少なくとも二つの谷が設けられた側面を有し、他方の磁石はまた同数の谷を設けた側面を有している。二つの磁石はその側面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され二つの谷と連通している。端部のそれぞれはかみ合い段差を画定する。一方の磁石の端部におけるかみ合い段差は他方の磁石の端部におけるかみ合い段差とかみ合う。それぞれの磁石は一定のすき間を形成するための表面部を設け、表面部の外側には電磁誘導コイルがその周りに巻き付けられる絶縁ベークライトフレームが設けられている。
【手続補正３】
【補正対象書類名】明細書
【補正対象項目名】００１３
【補正方法】変更
【補正の内容】
【００１３】
本発明の磁気エネルギー発生器の磁石は、一緒に結合された二つの別々の磁石から成っている。別々の磁石の一方は少なくとも一つの谷が設けられた側面を有し、他方の磁石はまた同数の谷を設けた側面を有している。二つの磁石はその面で互いに嵌合し、一方の磁石の側面は他方の磁石の側面に設けられた二つの端部にそれぞれ接する二つの端部を設け、それにより一方の磁石の谷が他方の磁石の谷と向かい合い、それゆえ磁石の二つの谷の間に一定のすき間が形成され二つの谷と連通している。端部のそれぞれはかみ合い段差を画定する。一方の磁石の端部におけるかみ合い段差は他方の磁石の端部におけるかみ合い段差とかみ合う。それぞれの磁石は一定のすき間を形成するための表面部を設け、表面部の上には電磁誘導コイルがその周りに巻き付けられる絶縁ベークライトフレームが設けられている。
【手続補正４】
【補正対象書類名】明細書
【補正対象項目名】００１６
【補正方法】変更
【補正の内容】
【００１６】
本発明によれば、磁気エネルギー発生器とランプ本体とを有する磁気エネルギーランプが提供される。磁気エネルギー発生器は一緒に結合された二つの別々の磁石から成っている。別々の磁石の一方は少なくとも二つの谷が設けられた側面を有し、他方の磁石はまた同数の谷が設けられた側面を有している。二つの磁石はその側面で互いに嵌合し、一方の磁石の側面は他方の磁石の側面に設けられた二つの端部にそれぞれ接する二つの端部を設け、それにより一方の磁石の谷が他方の磁石の谷とそれぞれ向かい合い、それゆえ磁石の二つの谷の間に一定のすき間が形成され二つの谷と連通している。端部のそれぞれはかみ合い段差を画定する。ランプ本体は谷の内側に配置され、二つの磁石によって取り囲まれ、発生器を貫通している。それぞれの磁石はすき間を形成するための表面部を設け、表面部の上には電磁誘導コイルがその周りに巻き付けられる絶縁ベークライトフレームが設けられている。
【国際調査報告】
2008524860.tif 000010
2008524860.tif 000011
2008524860.tif 000012
2008524860.tif 000013